Podtech/llm-jp-corpus-v4-ja_patent huggingface dataset:
(57)【要約】      （修正有）【課題】子供等の自然観察に適した小生物観察容器を提供する。【解決手段】水槽と、水槽を包むキューブ状のケース２とからなり、ケース２の側部一面又は複数面に各種形状の観察用小窓を設けるようにする。【選択図】図１
0003193321.tif 000002
【実用新案登録請求の範囲】
【請求項１】
水槽と、該水槽を包むキューブ状のケースとからなり、該ケースの側部一面又は複数面に各種形状の観察用小窓を設けるようにしたことを特徴とする小生物観察容器。
【請求項２】
小窓に凹型レンズを嵌め込んだ請求項１記載の小生物観察容器。
【考案の詳細な説明】
【技術分野】
【０００１】
本考案は、子供の自然観察に適した小生物観察容器に関するものである。
【背景技術】
【０００２】
従来小生物の観察容器としては、昆虫等の小生物を数倍に拡大して観察することができる透明あるいは半透明の生物収納容器本体と、この生物収納容器本体の開口部を開閉することができる凸レンズが設けられた蓋からなる小生物観察器具（特開2001-290088）。
【０００３】
透明樹脂材で被覆した飼育装置と終令幼虫から蛹化する飼育室とからなる飼育観察容器（特開2000-197428）等が提案されている。
【先行技術文献】
【特許文献】
【０００４】
【特許文献１】特開２００１−２９００８８
【特許文献２】特開２０００−１９７４２８
【考案の概要】
【考案が解決しようとする課題】
【０００５】
しかし、これらの器具乃至容器はその操作が難し過ぎたり、専門化し過ぎたり、大型化し過ぎたりして子供の自然観察に適したものとは言い難い。
【０００６】
そこで、本考案では小生物の棲息する池の中や草むらの一部を切り取ってキューブ状小型容器に入れ、至近距離で観察できるようにした子供等の自然観察に適した小生物観察容器を提案することを目的とする。
【課題を解決するための手段】
【０００７】
本考案は、上記実情に鑑み、水槽と、該水槽を包むキューブ状のケースとからなり、該ケースの側部の一面又は他の面に各種形状の観察用小窓を設けるようにしたことを特徴とする小生物観察容器を提案するものである。
【０００８】
上記水槽に池の中のメダカや草むらの昆虫等の小生物を入れたケースを園内に展示する。園内で遊ぶ子供等はケースの中にあるものに興味を示し、小窓より中を覗き込むので、至近距離でメダカ、昆虫等の小生物を観察することになる。
【０００９】
また、観察用小窓に凹レンズを嵌め込めば、メダカ、昆虫等が拡大され、自然では体験できない視点から小生物を観察することができる。
【００１０】
更に、これら小生物を入れた観察容器を並べて配置すれば、種々の小生物を至近距離で観察することができる。
【図面の簡単な説明】
【００１１】
【図１】本考案に係るキューブ状小生物観察容器の複数個を並べて配置した斜視図
【図２】同上の容器の上面図
【図３】同上の容器の側部正面図
【図４】同上の容器の側部左右側面図
【図５】同上の容器の側部背面図
【考案を実施するための形態】
【００１２】
水槽と、該水槽を包むキューブ状のケースとからなり、該ケースの側部の四面に丸形、四角形、小丸形等の各種形状の観察用小窓を設けるようにしたことを特徴とする小生物観察容器。
【実施例１】
【００１３】
以下、図示の実施例に基づいて本考案を詳細に説明すると、図１は本考案に係るキューブ状小生物観察容器１，・・・を幼児の身長に合わせて台座上に配置した状態を示すものである。
【００１４】
容器１はキューブ状ケース２内にアクリル樹脂製の水槽３を収納して構成される。
【００１５】
ケース２の側部正面にはやや大きめの丸形の観察用小窓４、側部左右側面にはやや大きめの四角形の観察用小窓５、更に側部背面には２つの小さな丸形の観察用小窓６が設けられる。
【００１６】
池の中のメダカ、草むらの昆虫等の小生物を入れた水槽３はキューブ状ケース２内には収納して図１に示すようにして園内に配置する。
【００１７】
園内で遊ぶ幼児等はケースの中にあるものに興味を示し、小窓より中を覗き込むので、至近距離でメダカ、昆虫等の小生物を観察することになる。
【００１８】
また、丸形の小窓４，６等に凹レンズを嵌め込めば、小型容器１内の小生物が拡大され、自然では体験できない視点からこれら小生物を観察することができる。
【産業上の利用可能性】
【００１９】
以上要するに、本考案によれば子供等に自然観察に適した小生物観察容器を提供できる。
【符号の説明】
【００２０】
１は本考案に係る小生物観察容器
２はキューブ状ケース
３は水槽
４はやや大きめの丸形の観察用小窓
５はやや大きめの四角形の観察用小窓
６は小さな丸形の観察用小窓
【図１】
0003193321.tif 000003
【図２】
0003193321.tif 000004
【図３】
0003193321.tif 000005
【図４】
0003193321.tif 000006
【図５】
0003193321.tif 000007
(57)【要約】      （修正有）【課題】いろいろな映像を提供して、特に子供の探求心、好奇心、創造性を育むことができるような万華鏡装置を提供する。【解決手段】機枠１に取り付けられた一種又は二種以上の固定式の万華鏡筒３，５と、機枠１上に回転部７を介して設けられた可動式万華鏡筒８からなり、可動式万華鏡筒８は先端部から後端部にかけて縮径し、先端部には覗き窓９を設け、後端部にはレンズ１０を取り付ける。【選択図】図２
0003193319.tif 000002
【実用新案登録請求の範囲】
【請求項１】
機枠に取り付けられた一種又は二種以上の固定式の万華鏡筒と、上記機枠上に回転部を介して設けられた可動式万華鏡筒からなり、可動式万華鏡筒は先端部から後端部にかけて縮径し、先端部には覗き窓を設け、後端部にはレンズ乃至透明球体を取り付けたことを特徴とする万華鏡装置。
【考案の詳細な説明】
【技術分野】
【０００１】
本考案は、固定式と可動式の万華鏡筒を備えた万華鏡装置に関する。
【背景技術】
【０００２】
従来の万華鏡装置としては、内面が鏡面からなる多角筒状の角鏡体と、前記角鏡体の開口された両端側に鏡面が対向して設けられる２つの端鏡面と、前記各鏡面に映る映像を回動させる回動手段と、を備えた立体万華鏡装置等が提案されている（特開２００９−９００９）。
【先行技術文献】
【特許文献】
【０００３】
【特許文献１】特開２００９−９００９
【考案の概要】
【考案が解決しようとする課題】
【０００４】
しかし、これら従来の万華鏡装置は、一つの実像を万華鏡で加工した映像を提示するものであり、何れは飽きられてしまう等の難点がある。
【課題を解決するための手段】
【０００５】
本考案は、上記実情に鑑み、機枠に取り付けられた一種又は二種以上の固定式の万華鏡筒と、上記機枠上に回転部を介して設けられた可動式万華鏡筒からなり、可動式万華鏡筒は先端部から後端部にかけて縮径し、先端部には覗き窓を設け、後端部にはレンズを取り付けた万華鏡装置を提案するものである。
【０００６】
本考案では落ち葉や季節の草花を入れ、これを万華鏡で加工した映像を楽しむことができ、また上段の可動式万華鏡筒は好きな角度に回動させ、その景色をレンズ乃至透明球体を通して万華鏡に投影させて得られた映像を楽しむことができる。
【考案の効果】
【０００７】
即ち、本考案では２以上の実像を万華鏡で加工した映像を提示できるため、従来の万華鏡装置に比べて興趣を倍増させることができ、特に子供の好奇心・創造性を高めることができる。
【図面の簡単な説明】
【０００８】
【図１】本考案に係る万華鏡装置の斜視図
【図２】同上の万華鏡装置の縦断側面図
【図３】同上の万華鏡装置の正面図
【図４】同上の万華鏡装置の背面図
【考案を実施するための形態】
【０００９】
機枠に取り付けられた一種又は二種以上の固定式の万華鏡筒と、上記機枠上に回転部を介して設けられた可動式万華鏡筒からなり、可動式万華鏡筒は先端部から後端部にかけて縮径し、先端部には覗き窓を設け、後端部にはレンズ乃至透明球体を取り付けたことを特徴とする万華鏡装置。
【実施例１】
【００１０】
以下、図示の実施例に基づいて本考案を詳細に説明すると、１はアジャスター２を介して基盤上に取り付けられた本考案に係る万華鏡装置の機枠で、機枠１には両端を開口した三角形状の固定式万華鏡筒３、四角形状の固定式万華鏡筒４、六角形状の固定式万華鏡筒５が設けられ、万華鏡筒３、４、５の内面には鏡乃至樹脂ミラー６が張設される。
【００１１】
機枠１上には回転部７を介して三角形状の可動式万華鏡筒８が設けられ、万華鏡筒８内面には万華鏡筒３、４、５と同様に鏡乃至樹脂ミラー６が張設されている。
【００１２】
可動式万華鏡筒８は先端部から後端部まで縮径した形状をなし、その先端部には覗き窓９が嵌め込まれ、後端部にはレンズ１０が設けられる。
【００１３】
レンズ１０は透明球体で代用することができ、具体的にはレンズとしてはアクリルレンズ、透明球体としてはアクリル球等を挙げることができる。
【００１４】
なお、可動式万華鏡筒８上にはハンドル１１，１１が設けられる。
【００１５】
以上の構成において、固定式万華鏡筒３、４、５には落ち葉や季節の草花を入れる。これらを内面に張設されたミラー６で加工された虚像は万華鏡筒３、４、５を覗き込むことにより見ることができる。
【００１６】
また、可動式万華鏡筒８は好きな角度に回動させ、その場所の景色はレンズ１０を通して内面に張設されたミラー６で加工され、ゆがみのある映像となるが、この映像は覗き窓９から見ることができる。
【００１７】
したがって、本考案ではいろいろな映像を見ることができので、興趣あるものとなり、特に子供の探求心、好奇心、創造性を育むことができる。
【産業上の利用可能性】
【００１８】
以上要するに、本考案によればいろいろな映像を見ることができ、特に子供の探求心、好奇心、創造性を育むことができるような万華鏡装置を提供することができる。
【符号の説明】
【００１９】
１は本考案に係る万華鏡装置の機枠
２はアジャスター
３、４、５は固定式万華鏡筒
６は鏡乃至樹脂ミラー
７は回転部
８は可動式万華鏡筒
９は覗き窓
１０はレンズ
１１はハンドル
【図１】
0003193319.tif 000003
【図２】
0003193319.tif 000004
【図３】
0003193319.tif 000005
【図４】
0003193319.tif 000006
(57)【要約】      （修正有）【課題】着脱が容易であり、装用感は締めつけ感のない帽子でありながら外れにくく、外観は医療用かつらそのものであるかつら様の帽子を提供する。【解決手段】アクリルと綿の混紡素材からなるニットの帽子部２にポリエステルからなる毛髪部２をミシンステッチで直接縫い付けている。毛髪の長さ、カラー等はヘアスタイルに合わせて選択することができる。さらに、ゴム通し部５が前記帽子部２の開口の周囲に施され、前記ゴム通し部５にゴム４を通しゴムストッパー３によりホールド感を調節することができる。【選択図】図１
0003193316.tif 000002
【実用新案登録請求の範囲】
【請求項１】
ニットまたは縫製した布からなる帽子部に、前記帽子部を覆うように毛髪部を直接縫い付けたことを特徴とするかつら様の帽子。
【請求項２】
前記帽子部開口の周囲が伸縮素材からなることを特徴とする請求項１に記載のかつら様の帽子。
【請求項３】
前記帽子部開口の周囲にゴム通し部を備え、前記ゴム通し部にゴムを通し、さらにゴムストッパーを備えたことを特徴とする請求項１に記載のかつら様の帽子。
【考案の詳細な説明】
【技術分野】
【０００１】
本考案は今までの医療用かつらが使用者にもたらす苦痛の軽減、除去を目的とするかつら様の帽子である。
【背景技術】
【０００２】
従来のかつらは、特許文献１に開示されているようにネットで作られたベースに毛髪を植毛したものであり、帽子は布、ニットなどを縫製し頭部のカバーをする目的で製作されているが、本考案はかつらとも帽子ともまったく違う製作法を施した。
【０００３】
従来の医療用かつらは、容易に外れないために頭部とピン、テープなど様々な接着方法での固定が必要であり、医療用かつら本体がもたらす圧迫感と接着のための部材が、さらに苦痛をもたらしていた。帽子にあっては、治療のための脱毛をカバーするために医療用かつらと共に利用されているが、外観がもたらす病人の様子が使用者にとっては心理的に大きな苦痛であった。
【先行技術文献】
【特許文献】
【０００４】
【特許文献１】特開２０１２−４６８３０号公報
【考案の概要】
【考案が解決しようとする課題】
【０００５】
本考案は、以上のような従来の欠点に鑑み着脱が容易であり、装用感は締めつけ感のない帽子でありながら外れにくく、外観は医療用かつらそのものであるかつら様の帽子を提供することを目的とする。
【課題を解決するための手段】
【０００６】
上記のような問題点を解決するため、本考案の一様態は、肌触りの良いニットの帽子からなるベースに、毛髪を縫いつけたことを特徴とする。
【０００７】
また、上記考案において、帽子を完全に毛髪でカバーするため伸縮するニットの帽子に合わせた特殊な縫製方法で毛髪を取り付けることがより好ましい。
【０００８】
また、上記考案において、締めつけ感を軽減しながら外れる不安のないホールド感を得るために、帽子部の周囲にゴムテープを使用しストッパーで着用時の状況に合わせて調節できるような設計を施すことがより好ましい。
【０００９】
さらに、上記考案において、毛髪部にポリエステル人工毛を使用し、帽子部はアクリルと綿の混紡素材を使用することで、軽量で通気性が良くかつ手入れの負担を軽減することがより好ましい。
【考案の効果】
【００１０】
以上の説明から明らかなように、本考案で装用感はニットの帽子でありながら、外観は自然な医療用かつらにしか見えないかつら様の帽子となる。
【００１１】
さらに、従来のかつらでは不可避の締めつけ感、重量感から解放されながらしっかりとした安定感を得ることができ、軽量で着脱するのも簡単な上、わずらわしい接着方法も一切必要なく、また帽子のように病気を伺わせるような外観を見せることもなく、どこから見てもかつら様の帽子となる。
【００１２】
既に２０件以上の試着モニターにあっては、ほぼ全員から高評価を得ている。
【図面の簡単な説明】
【００１３】
【図１】本考案のかつら様の帽子を模式的に示した正面図である。
【図２】本考案のかつら様の帽子の毛髪の取り付け状態を説明するために模式的に示した側面図である。
【図３】本考案のかつら様の帽子の裏側を模式的に示した図である。
【考案を実施するための形態】
【００１４】
以下、本考案に係るかつら様の帽子の好ましい実施の形態を図に基づいて説明する。図１は本考案に係るかつら様の帽子を模式的に示した正面図である。
【実施例】
【００１５】
図１に示すように、アクリルと綿の混紡素材からなるニットの帽子部２にポリエステル人工毛からなる毛髪部２をミシンステッチで直接縫い付けている。毛髪の長さ、カラー等はヘアスタイルに合わせて選択することができる。
【００１６】
さらに、ゴム通し部５が前記帽子部２の開口の周囲に施され、前記ゴム通し部５にゴム４を通しゴムストッパー３によりホールド感を調節することができる。
【００１７】
図２及び図3に示すように、毛髪縫製ステッチ６は帽子部２全体にわたり、毛髪部１が帽子部２に段々状に取り付けられているのがわかる。この縫製方法により良好な通気性を達成している。
【００１８】
なお、本実施例では帽子部２の素材をアクリルと綿の混紡素材、毛髪をポリエステル人工毛としているが、軽量かつ良好な通気性を達成できる素材であればこれに限定されない。
【産業上の利用可能性】
【００１９】
本考案に係るかつら様の帽子は、装用感はニットの帽子でありながら外観は自然な医療用かつらにしか見えず、さらに軽量かつ通気性に優れ着脱が容易である。また、本考案に係るかつら様の帽子は、医療用の他、髪型を変えたい人が気軽に楽しめる装飾用としても利用可能である。さらに、特別なミシンを使用した縫製方法で省力化ができるため低価格で提供可能である。
【符号の説明】
【００２０】
１  毛髪部（表面）
２  帽子部（裏面）
３  ゴムストッパー
４  ゴム
５  ゴム通し部
６  毛髪縫製ステッチ
【図１】
0003193316.tif 000003
【図２】
0003193316.tif 000004
【図３】
0003193316.tif 000005
(57)【要約】      （修正有）【課題】子供達が寝転びながら迫力のある映像を鑑賞できるシアター装置を提供する。【解決手段】仰向け着座の可能な円形状の着座部１と、着座部１の中央上方に配置されたスクリーン２と、スクリーン２に映像を投影するプロジェクターとからなり、着座部１に寝転び仰向けになって、スクリーン２上に投影される映像を鑑賞できるようにする。【選択図】図２
0003193320.tif 000002
【実用新案登録請求の範囲】
【請求項１】
仰向け着座の可能な円形状の着座部と、該着座部の中央上方に配置されたスクリーンと、該スクリーンに映像を投影するプロジェクターとからなり、上記着座部に寝転び仰向けになって、スクリーン上に投影される映像を鑑賞できるようにしたシアター装置。
【請求項２】
スクリーンが半球状である請求項１記載のシアター装置。
【考案の詳細な説明】
【技術分野】
【０００１】
本考案は、寝転びながら頭上投射される映像を楽しむことができるシアター装置に関するものである。
【背景技術】
【０００２】
従来のホームシアター室ユニット等としては、正面の壁面に映像を投射可能とするスクリーンを設け、これより一定距離を設けて背もたれ、肘掛け等を設けた着座部を配置し、鑑賞者は着座部に座り、正面のスクリーンに投射される映像を鑑賞するものが知られている（特開２００７−１９１８８１）。
【先行技術文献】
【特許文献】
【０００３】
【特許文献１】特開２００７−１９１８８１
【考案の概要】
【考案が解決しようとする課題】
【０００４】
しかしながら、着座して正面のスクリーンに投射される映像を鑑賞するよりも頭上に投影される映像を鑑賞する方がより迫力のある場合がある。
【０００５】
また、特に子供等においては友達と寝転び仰向けになって、頭上のスクリーンに投影される映像を鑑賞することは興趣を倍増させる。
より迫力があり、興味が倍増する。
【課題を解決するための手段】
【０００６】
本考案は、上記実情に鑑み、仰向け着座の可能な円形状の着座部と、該着座部の中央上方に配置された半球状のスクリーンと、該スクリーンに被写体を投影するプロジェクターとからなるシアター装置を提案するものである。
【０００７】
即ち、本考案は円形状の着座部に寝転び仰向けになって頭上のスクリーンに投射される映像を鑑賞できるので、特に天体の映像等に於いては迫力があり、興味を倍増させることができる。
【０００８】
また、本考案においては円形状の着座部に複数人、特に子供等においては友達と寝転び仰向けになって、頭上のスクリーンに投影される映像を鑑賞できるため、興味を倍増させることができる。
【０００９】
更に、本考案においては寝転び仰向けになる、自由な姿勢で映像を鑑賞できる。
【００１０】
また、スクリーンを半円球状のものとすることにより奥行きの深い映像を鑑賞することができる。
【図面の簡単な説明】
【００１１】
【図１】本考案に係るシアター装置の斜視図
【図２】同上のシアター装置の縦断側面図
【図３】図２に於けるIII-III線断面図
【考案を実施するための形態】
【００１２】
仰向け着座の可能な円形状の着座部と、該着座部の中央上方に配置されたスクリーンと、該スクリーンに映像を投影するプロジェクターとからなり、上記着座部に寝転び仰向けになって、スクリーン上に投影される映像を鑑賞できるようにしたシアター装置。
【実施例１】
【００１３】
以下、本考案を図示の実施例に基づいて説明すると、１はその上面にマットを敷設して構成される平坦な円形状の仰向け着座可能な着座部、２は着座部１の中央上方に配置された半球状のスクリーン、３はスクリーンに被写体を投影するプロジェクターである。
【００１４】
スクリーン２は、この実施例では着座部１の周囲に支柱４ａ・・・を有する器枠４の上部内周に形成された係止部５に係止して着座部１の中央上方に配置される。
【００１５】
以上の構成において、円形状の着座部２上にはプロジェクター３から投影される例えば天体映像を着座部１に寝転び仰向けになって鑑賞する。
【００１６】
これにより特に子供等においては友達と寝転び仰向けになって、頭上のスクリーンに投影される映像を鑑賞できるため、興味を倍増させることができる。
【産業上の利用可能性】
【００１７】
以上要するに、本考案は特に子供等においては友達と寝転び仰向けになって、頭上のスクリーンに投影される映像を鑑賞できるため、興味を倍増させることができるシアター装置を提供できる。
【符号の説明】
【００１８】
１は円形状の仰向け着座可能な着座部
２はスクリーン
３はプロジェクター
４は器枠
４ａ，・・・支柱
【図１】
0003193320.tif 000003
【図２】
0003193320.tif 000004
【図３】
0003193320.tif 000005
(57)【要約】      （修正有）【課題】タオルや襟紙、襟カバーを使用せずともカットした毛髪が襟元に入ることを防止可能なカットクロスを提供する。【解決手段】少なくとも上半身を覆う面積を有するカバー部１１と、着用者の首周囲に巻装される襟部２０とを有して形成されるカットクロス１０において、襟部を伸縮性を有する帯状のゴム素材で構成し、カバー部の上縁に縫着あるいは接着する。【選択図】図１
0003193311.tif 000002
【実用新案登録請求の範囲】
【請求項１】
少なくとも上半身を覆う面積を有するカバー部（１１）と、着用者の首周囲に巻装される襟部（２０）とを有して形成されるカットクロス（１０）において、
上記襟（２０）部を伸縮性を有するゴム素材で形成したカットクロス（１０）。
【考案の詳細な説明】
【技術分野】
【０００１】
本考案は理髪店や美容院、或いは家庭等で散髪を行う際に、カットした髪の毛が襟元に入らないようにするために着用するカットクロスに関する。
【背景技術】
【０００２】
理髪店や美容院等で髪をカットするときに着用者の首部の周囲に装着して少なくとも上半身を覆うようにしたカットクロスが用いられている。
【０００３】
係るカットクロスにおいて、カットした髪の毛が首周りの襟部の隙間から侵入するのを防止するための先行技術として下記のようなものがある。
【０００４】
特許文献１には、襟部に伸縮自在な弾性帯体を所要間隔離間させて上下に複数条配設し、或は、上記襟部自体を伸縮自在な布地で形成したカットクロスが開示されている。
【０００５】
特許文献２には襟部の内側全体に、着用者の首部の周囲に接触可能なテープ状ゴムシートが縫着されたカットクロスが開示されている。
【０００６】
特許文献３には、襟首部の内周に沿ってヒダ加工が施されたカットクロスが開示されている。
【先行技術文献】
【特許文献】
【０００７】
【特許文献１】特開平８−２４２９４２号公報
【特許文献２】特開２０００−４１７３５号公報
【特許文献３】登録実用新案公報３１０７９５１号
【考案の概要】
【考案が解決しようとする課題】
【０００８】
一般的に美容室では襟元にカットした毛髪が入ることを防ぐために、タオルもしくは襟紙を首に捲いたうえでカットクロスを着用し、さらに専用の襟カバーを着用することが行われている。
【０００９】
かように襟元に毛髪が入らないようするために、二重三重のプロセスが必要であり、作業の効率化の妨げるものであると共に、余分な費用を生み出すものとなっていた。
【００１０】
そこで本考案はタオルや襟紙、襟カバーを使用せずとも、カットした毛髪が襟元に入ることを防止可能なカットクロスを提供することを目的とする。
【課題を解決するための手段】
【００１１】
上記の目的を達成する本考案の構成は次の通りである。
【００１２】
請求項１に記載の考案は、少なくとも上半身を覆う面積を有するカバー部と、着用者の首周囲に巻装される襟部とを有して形成されるカットクロスにおいて、上記襟部を伸縮性を有するゴム素材で構成した。
【考案の効果】
【００１３】
上記のように構成される本考案が、如何に作用して課題を解決するかを図面を参照しながら概説する。
【００１４】
本考案にかかるカットクロス１０は、着用者の首周囲に巻装される襟部２０が、伸縮性を有するゴム素材で形成されている。それ故、使用状態を示す図４に示すように着用者の首周りに襟部２０が隙間無くフィットし、それ故カットした毛髪が襟元に入ることを可及的に抑制可能なものである。
【００１５】
また、毛髪だけではなく、パーマ液・ヘアーダイ・ヘアーカラー液等が襟元から首下へと侵入・流下するのを防止することが可能となるのである。
【図面の簡単な説明】
【００１６】
【図１】本考案の正面図
【図２】同背面図
【図３】装着する過程における平面図
【図４】使用状態を示す説明図
【図５】使用状態を示す説明図
【考案を実施するための形態】
【００１７】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１８】
本考案のカットクロス１０は、図１や図２に示すように、少なくとも上半身を覆う面積を有するカバー部１１に、着用者の首周りを巻装するための襟部２０が設けられている。
【００１９】
なお、カバー部１１には着用者の腕を通すための袖部１２が設けられているが、この袖部は１２は、不要な場合は設けなくとも構わない。
【００２０】
このようなカットクロス１０の構成について詳細に述べると、カバー部１１は布や紙或はポリオレフィン系樹脂やナイロン樹脂等の合成樹脂等の不透明または不透明なシート体で形成されている。また、このカバー部１１に防水加工又は撥水加工を施すことによって、髪の毛のカットだけではなく、パーマ液やヘヤカラー液等の溶液を使用する際にも、着用者の衣服が汚れないものとしてもよい。
【００２１】
襟部２０は伸縮性を有する帯状のゴム素材で形成されており、カバー部１１の上縁に縫着あるいは蒸着あるいは接着されている。
【００２２】
本考案に係るカットクロス１０は、着用者の前面にカットクロス１０を位置せしめ、袖部１２に腕を通し、背面で図３に示される面状ファスナ１３を合着して装着するものである。図５は装着した状態での立位を示しており、首周りは伸縮性を有する襟部２０により隙間無く装着され、カバー部１１はゆったりと着用者のほぼ全身を覆うものである。
【符号の説明】
【００２３】
１０・・カットクロス
１１・・カバー部
２０・・襟部
【図１】
0003193311.tif 000003
【図２】
0003193311.tif 000004
【図３】
0003193311.tif 000005
【図４】
0003193311.tif 000006
【図５】
0003193311.tif 000007
(57)【要約】      （修正有）【課題】入浴用防水ソフトパットを使用する事によってストマー造設者が入浴の際に蓄便袋を外しては浴槽内を汚してしまうので仕方なく蓄便袋を装着したまま蓄便袋を小さく畳んで大きなテープを上から貼ってからやっと浴槽に入る事が出来るのだが、テープが大きくて目立つので人目が気になり恥ずかしさから大衆浴場や温泉などに気軽に行けない事から、そういう悩みを解消する事を目的とする入浴用防水ソフトパットを提供する。【解決手段】入浴中に湯水の浸透を防ぎ排便に依る浴槽の汚れを防ぐよう円形の肌色の柔らかいシリコン素材を使用し肌に優しい接着面３を一体加工している。【選択図】図３
0003193377.tif 000002
【実用新案登録請求の範囲】
【請求項１】
薄い円形の肌色シリコン素材の人工肛門造設者用の入浴用防水ソフトパット。
【請求項２】
腹部人工肛門に入浴中に貼り付ける円形肌色シリコン素材で肌に優しい粘着テープを使用した事を特徴とした請求項１に記載の入浴用防水ソフトパット。
【考案の詳細な説明】
【技術分野】
【０００１】本考案は人工肛門造設者が蓄便袋を外しても気軽に入浴出来るように人工肛門部分を覆うように貼り付ける肌色シリコン製の入浴用防水ソフトパットである。
【背景技術】
【０００２】本来人工肛門造設者が入浴の際蓄便袋を装着したまま蓄便袋を小さく畳んでその上から大きなテープを貼り付けて入浴する為人工肛門造設者（特に女性）は煩わしさと恥ずかしさで旅行先でも温泉にも入ることが出来ない人が多い。
【考案が解決しようとする課題】
【０００３】本考案は、上記の背景を解決出来るように人目を気にせずに目立つことなく入浴できる肌色シリコン製の入浴用防水ソフトパットを提案した。
【課題を解決するための手段】
【０００４】図１は本考案にかかる入浴用防水ソフトパットの全体図であり、凸型人工肛門を覆うように内部凹型の図３−２である。図４は入浴用防水ソフトパットの装着図である。
【０００５】さらにこの入浴用防水ソフトパットは簡単に装着する事が出来て入浴中の排便汚れの心配もなく粘着部分は自然乾燥させて何度も繰り返し使用する事が出来る。
【考案の効果】
【０００６】本考案の入浴用防水ソフトパットは人工肛門造設者（特に女性）が今まで温泉旅行に行きたくても入浴時の人目や煩わしさ恥ずかしさがありなかなか気きが進まず諦める者が多いがこの入浴用防水ソフトパットは煩わしい蓄便袋や湯ぶねに入る時など人目を気にする事なく大衆浴場にもゆっくり気軽に入浴出来る。
【図面の簡単な説明】
【図１】入浴用防水ソフトパットの平面図である。
【図２】入浴用防水ソフトパットの側面図である。
【図３】入浴用防水ソフトパットの断面図である。
【図４】入浴用防水ソフトパットの装着図である。
【符号の説明】１  入浴用防水ソフトパット本体
２  内側凹部分
３  粘着部分
【図１】
0003193377.tif 000003
【図２】
0003193377.tif 000004
【図３】
0003193377.tif 000005
【図４】
0003193377.tif 000006
(57)【要約】      （修正有）【課題】多くのハリスを付けることができ釣果を上げることができるおもりを提供する。【解決手段】球形のおもり１の中心部から水平方向に１２０度間隔でおもりの端部に向けてハリスの付ける輪３を端部に３つ設ける。【選択図】図２
0003193359.tif 000002
【実用新案登録請求の範囲】
【請求項１】
球形のおもりの中心部から水平方向に１８０度間隔でおもりの端部に向けてハリスを付ける輪を端部に３つ設けた釣具のおもり。
【考案の詳細な説明】
【技術分野】
【０００１】本考案は、鉛のおもりに複数のハリスを結ぶ箇所を設けた、おもりに関するものである。
【背景技術】
【０００２】おもりに直接、複数のハリスを取付るものは、ほとんど無かった。
【考案の開示】
【考案が解決しようとする課題】
【０００３】複数の魚を一度に釣りあげることが可能になり、前途の欠点を解決しようとするものである。
【課題を解決するための手段】
【０００４】本考案は、おもりに複数のハリスが付けられることで釣針を多くして問題点を解決している。
【考案の効果】
【０００５】上途のようにおもりに複数の釣針を付けたことで群れた魚を多く釣り上げることに役立つ。
【考案を実施するための最良の形態】
【０００６】球形のおもりの中心より水平に１８０度間隔でおもりの端部にハリスを付ける箇所を３つ設け、そこに釣針の付いたハリスを付ける。
【実施例】
【０００７】以下、添付図面に従って実施例を説明する。１は、鉛のおもり、２は、道糸接続部、３は、ハリス接続部、ここに釣針の付いたハリスを接ぐ。【０００８】本考案の実施例は、上途の如き構成からなるものである。
【図面の簡単な説明】
【０００９】
【図１】側面図
【図２】正面図
【図３】実施例図
【符号の説明】１．おもり
２．道糸接続箇所
３．ハリス接続箇所
【図１】
0003193359.tif 000003
【図２】
0003193359.tif 000004
【図３】
0003193359.tif 000005
【手続補正書】
【提出日】平成26年1月13日(2014.1.13)
【手続補正１】
【補正対象書類名】実用新案登録請求の範囲
【補正対象項目名】全文
【補正方法】変更
【補正の内容】
【実用新案登録請求の範囲】
【請求項１】
球形のおもりの中心部から水平方向に１２０度間隔でおもりの端部に向けてハリスの付ける輪を端部に３つ設けた釣具のおもり。
【手続補正２】
【補正対象書類名】明細書
【補正対象項目名】０００６
【補正方法】変更
【補正の内容】
【０００６】球形の鉛のおもりの中心より水平に１２０度間隔でおもりの端部に３箇所ハリスを付ける箇所を設け、そこにハリスを付ける。
(57)【要約】      （修正有）【課題】できるだけ腰を曲げずに、水田に浮かぶ草を楽な姿勢で掬い取ることができる柄付きザルを提供する。【解決手段】直径１０ｃｍ程度のプラスチックのザル１に１ｍ程度の長さの丈夫な柄２をつけ、柄を持って水田に浮かぶ草を掬い取る。【選択図】図１
0003193381.tif 000002
【実用新案登録請求の範囲】
【請求項１】
ザルに柄がついたことを特徴とする柄付きザル
【考案の詳細な説明】
【技術分野】
【０００１】  本考案は、水田に生える雑草を除草機で浮かした後の草や、水草を掬い上げるザルに柄をつけたザルに関するものである。
【背景技術】
【０００２】  従来、浮いた雑草や、水草を取りのぞくためには、腰を屈めてザルで掬いとっていた。
【考案の概要】
【考案が解決しようとする課題】
【０００３】  殆ど腰を屈めることなく、水田に浮いた草を掬い取る機能を有するザルを提供する。
【課題を解決するための手段】
【０００４】  本考案は、直径１０センチ程度のプラスチックのザルに１メ−トル程度の木等ある程度丈夫な柄をつける。
【考案の効果】
【０００５】  従来のザルを使って、草を掬うことは、腰痛の基になり、長時間続けると、姿勢が悪くなるが、ザルに柄をつけることで、腰痛が起こりにくく、楽に作業ができる。
【図面の簡単な説明】
【０００６】
【図１】ザルに柄をつけたもの
【考案を実施するための形態】
【０００７】  直径１０センチ程度のプラスチックのザルに１メ−トル程度の木等ある程度丈夫で軽い素材の１メ−トル程度の柄をつける。
【実施例】
【０００８】  以下添付図に従って、一実施例を説明する。１は、プラスチック等軽く、安価な素材でできたザルであり、２は、前記ザルにつけられた木等、安価で軽く、丈夫な素材で作られた柄である。
【符号の説明】
【０００９】１  ザル
２  ザルに取り付けられた柄
【図１】
0003193381.tif 000003
(57)【要約】      （修正有）【課題】簡単なスイッチ機能を設け操作性の簡便な、安価で生産性の良い電池ケースを提供する。【解決手段】ノブ１３の側面の突起面と突起面は電池ケース１の内面に当てて押さえられて矢印１６の方向に板バネに力が働く。電池ケース１のノブ受け面に、ノブ１３のガイドを押し当てノブ１３をスライド矢印１７の方向にスライドさせ、ノブ１３のストッパー１９を電池ケース１のノブ受け面に押し当て、ノブ１３の飛び出しを防止する。ノブ１３をスライド矢印１７の方向に、スライドさせるときに、板バネの先端１４が絶縁板の面を押さえながら滑りタイミング穴に落ち込み電極に接触する。【選択図】図４
0003193386.tif 000002
【実用新案登録請求の範囲】
【請求項１】
角型平面板状で電池のケースにおいて、平面板状角型の電池と、導通部と絶縁部をつくるタイミング穴を設けた絶縁板と、電池本体ケースと、金属の板バネと、２端子を持つ導通性の接続板と、からなるタイミング穴を設けた絶縁板上に金属の板バネをスライドさせてスイッチ機能を備えたことを特徴とした電池ケース。
【考案の詳細な説明】
【考案の詳細な説明】
【技術分野】
【０００１】平面角型の電池と、ＬＥＤを収納した電池ケースに関するものである。
【背景技術】  上記の電池は、電池ケースにおいて簡単なスイッチ機能を設け操作性の簡便な、安価で生産性の良い電池ケースを供給する。
【背景技術】  平面角型の電池を収納した電池ケースにおいて、従来から電池の電極とスイッチを半田付け、あるいはリード線の圧着でスイッチ配線していた。
同一出願人による先願例図面は図６による
【考案の概要】
【考案が解決しようとする課題】
【０００２】  平面角型の電池において、リードの半田付け、圧着工事を伴わない構造のスイッチ機構を構成して、該電池にＬＥＤを組み合わせにて点灯、消灯できる機構の電池ケース構造体を供給すること。
【考案が解決するための手段】
本考案は、平面角型の電池と、該電池の電極が覗ける導通部の穴と、絶縁部と配置した絶縁板を電池の片方の電極側に重ね合わせる、該絶縁板面をスライドする簡単な板バネとを取り付け、該板バネを、導通部分穴と絶縁部分をスライドさせてスイッチ構造を構築する。
【０００３】  該電池を電池ケース本体に収めて、２端子を持つＬＥＤの端子の一方を該電池の片方の電極に固定し、もう一方のＬＥＤの端子部を、該絶縁板に添わせて固定し、板バネの端をＬＥＤ端子部上にスライド接触させて、該板バネのもう一方の端側を、該絶縁板のタイミング穴の導通部面に接触してスライドする様にして組み込んだ。
板バネが、該電池の電極面を覗けるタイミング穴の導通面に出入りすることで、これによりスイッチ機構が構築される。
【０００４】  本考案を、図１から図５で説明する、図１は本考案による基本実施例の電池ケース図である。
図１本考案の基本実施例の図である。図１において電池ケース１の中心部に平面角型電池組立２を組み込み光を通すキャップケース３とスイッチノブ組立４を組み付けた基本図である。キャップケース３はＬＥＤ７の保護のカバーであり、保護が保てれば、キャップケース３は無くても良い。
平面角型の電池５の電極Ａ面８にタイミング穴６０１を設けた絶縁板６重ね合わせる、タイミング穴６０１からは電極Ａ面８が覗ける、ＬＥＤ７の端子Ｃ１０を絶縁板６に沿わせて組み付け、ＬＥＤ７の端子Ｄ１１を電極Ｂ面９に接触固定して平面角型電池組立２を完成させる。
ノブ１３の側面の突起面１３０１と突起面１３０２は電池ケース１の内面１０１に当てて組み込みます、スイッチノブ組立４は電池を押してスライドできる。
【０００５】  図２は本考案の電池組立２の説明図である。
図２において、板バネ１２をノブ１３のボスに合わせ張り合わせる、板バネ１２の先端１４、先端１５は、矢印１６の方向に力が働く、板バネ１２の先端１４が平面角型電池組立２の絶縁板６の面を押さえながら滑りタイミング穴６０１を通る様にして、電池５の電極に接触し、ＬＥＤ７の端子１０にバネの先端１５が接触してスライドする位置に組み付けて電池ケース１の中心部に固定した。
図３はスイッチノブ組立４である。図３において、ノブ１３の内側に、板バネ１２の固定し、平面角型電池組立２の絶縁板６と電池ケース１の内面１０１との隙間に板バネ１２の先端１４、先端１５が絶縁板６とＬＥＤ７の端子１０に接触スライドするように組み込まれる。
【０００６】  図４は本考案の基本実施構造断面図のスイッチがＯＮ状態の説明図である、図４において、ノブ１３の側面の突起面１３０１と突起面１３０２は電池ケース１の内面１０１に当てて押さえられて矢印１６の方向に板バネ１２に力が働く。
電池ケース１のノブ受け面２０１に、ノブ１３のガイド２０を押し当てノブ１３をスライド矢印１７の方向にスライドさせ、ノブ１３のストッパー１９を電池ケース１のノブ受け面２０２に押し当て、ノブ１３の飛び出しを防止する。
図４において、ノブ１３をスライド矢印１７の方向に、スライドさせるときに、板バネ１２の先端１４が絶縁板４の面を押さえながら滑りタイミング穴６０１に落ち込み電極に接触する、電気的に閉回路になったスイッチがＯＮ状態の説明図である。
図５は本考案の基本実施構造断面図のスイッチがＯＦＦ状態の説明図である。ノブ１３をスライド矢印１８方向に移動させて、ノブ１３の位置が下方に移り板バネ１２の先端１４が絶縁板６のタイミング穴６０１から外れて、絶縁板６の絶縁部がバネ１２の先端１４と、平面角型電池組立２の電極面Ａ８の間に入り、スイッチがＯＦＦ状態の説明図である。
【考案の効果】
【０００７】  本考案の電池ケースは、単純な構造でスイッチ機能を持たせたＬＥＤライトユニットがえられる。電気回路がＯＦＦ状態では電流が少ないので電池の寿命を延ばすことができた。
部品の組込みが単純で、品質の安定し製品がえられた。
【０００８】
【０００９】
【図面の簡単な説明】
【００１０】
【図１】本考案の基本実施例の図
【図２】本考案の電池組立の説明図
【図３】スイッチノブ組立の説明図
【図４】本考案の基本実施構造断面図のスイッチがＯＮ状態の説明図
【図５】本考案の基本実施構造断面図のスイッチがＯＦＦ状態の説明図
【図６】同一出願人による先願例図面
【考案を実施するための形態】
【００１１】マグネシウム等の電池ライトにかんする平面板状角型の積層電池構造において簡単な構造のスイッチ構造を単純化し効率よいエネルギーの提供を目的とした。
【符号の説明】
【００１２】１・電池ケース
２・平面角型電池組立
３・キャップケース
４・スイッチノブ
５・電池
６・絶縁板
７・ＬＥＤ
８・電極Ａ面
９・電極Ｂ面
１０・端子Ｃ
１１・端子Ｄ
１２・板バネ
１３・ノブ
１４・バネの先端
１５・バネの先端
１６・矢印
１７・スライド矢印
１８・スライド矢印
１９・ストッパー
２０・ガイド
１０１・内面
２０１・ノブ受け
２０２・ノブ受け
６０１・タイミング穴
１３０１・突起面
１３０２・突起面
【図１】
0003193386.tif 000003
【図２】
0003193386.tif 000004
【図３】
0003193386.tif 000005
【図４】
0003193386.tif 000006
【図５】
0003193386.tif 000007
【図６】
0003193386.tif 000008
(57)【要約】      （修正有）【課題】手動方式とすることで可及的に経済的負担を軽減するとともに、移載される要介護者（患者）への肉体的な苦痛を軽減できる移載機を提供する。【解決手段】移動自在な手動式リフト本体１の一対の支柱２に上下動自在な基台３を設け、この基台には一対の移載杆と、一対の角度調整杆５を設け、移載杆と角度調整杆はベッドに敷かれた敷布の下に侵入自在とするとともに、各々の角度調整杆の基部は上下に回動調節自在な回動杆６の先端に取り付けられ、この各々の回動杆は基台の背面に設けられた各々の手動式回動調節装置によって回動距離を調節自在とする。リフト本体を要介護者の寝ているベッドのそばに移動し、移載杆、角度調整杆を患者の尻位置の敷布の下に侵入させて基台を昇降操作し、必要によって患者頭部或いは足部の角度調整杆を上下動させる。患者を敷布に乗せた状態で移載できる。【選択図】図１
0003193307.tif 000002
【実用新案登録請求の範囲】
【請求項１】
移動自在な手動式リフト本体の一対の支柱に上下動自在な基台を設け、この基台には一対の移載杆と、一対の角度調整杆を設け、移載杆と角度調整杆はベッドに敷かれた敷布の下に侵入自在とするとともに、各々の角度調整杆の基部は上下に回動調節自在な回動杆の先端に取り付けられ、この各々の回動杆は基台に設けられた各々の手動式回動調節装置によって回動距離を調節自在とした介護用移載機。
【考案の詳細な説明】
【技術分野】
【０００１】
本考案は、寝起きの不自由な患者等の要介護者を他に移動するに際して使用する移載機に関する。
【背景技術】
【０００２】
従来この種の移載機としては、所謂ロボットと称される電動式のものが多く高価になりすぎて経済的負担が大きいなどの欠点があり、また移載する過程において要介護者に余計な肉体的苦痛をかける恐れがある。
【考案の開示】
【考案が解決しようとする課題】
【０００３】
そこで本考案は、手動方式として可及的に経済的負担を軽減するとともに、移載される要介護者(患者)への肉体的な苦痛の軽減を図ろうとするものである。
【課題を解決するための手段】
【０００４】
移動自在な手動式リフト本体の一対の支柱に上下動自在な基台を設け、この基台には一対の移載杆と、一対の角度調整杆を設け、移載杆と角度調整杆はベッドに敷かれた敷布の下に侵入自在とするとともに、各々の角度調整杆の基部は上下に回動調節自在な回動杆の先端に取り付けられ、この各々の回動杆は基台に設けられた各々の手動式回動調節装置によって回動距離を調節自在としてある介護用の移載機である。
【考案の効果】
【０００５】
本考案の効果として、移動自在な手動式リフト本体で手動式な角度調整杆となっているので経済的負担を軽減することができるとともに、角度調整杆によって移載される要介護者への肉体的な苦痛が軽減されスムーズに移載できる。
【実施例】
【０００６】
本案を図示の実施例により詳記すると、停止機能等を有する移動自在な手動式リフト本体１の一対の支柱２，２に上下動自在な基台３を架設し、この基台３には一対の移載杆４，４と、一対の角度調整杆５，５を設け、移載杆４，４と角度調整杆５，５はベッドに敷かれた図示しない敷布の下に侵入自在とするとともに、各々の角度調整杆５，５の基部は上下に回動調節自在な回動杆６，６の先端に取り付けられ、この各々の回動杆６，６は基台３に設けられた各々の手動式回動調節装置７，７によって回動距離を調節自在としてある。
【０００７】
リフト本体１を要介護者の寝ているベッドのそばに移動し、移載杆４，４、角度調整杆５，５を患者の尻位置の敷布の下に侵入させリフト本体１の上下機構のハンドル８によって基台３を昇降操作し、必要によって患者頭部或いは足部の角度調整杆５、５を回動調節装置７，７のハンドル９，９を回転させて上下動させ、る。患者を敷布に乗せた状態で移載する。
【図面の簡単な説明】
【０００８】
【図１】本考案に係る介護用移載機の正面説明図
【図２】同背面説明図
【図３】同平面説明図
【図４】同側面説明図
【符号の説明】
【０００９】
１：リフト本体
２、２：支柱
３：基台
４、４：移載杆
５、５：角度調整杆
６、６：回動杆
７、７：手動式回動調節装置
８：ハンドル(リフト本体)
９、９：ハンドル(角度調節装置)
【図１】
0003193307.tif 000003
【図２】
0003193307.tif 000004
【図３】
0003193307.tif 000005
【図４】
0003193307.tif 000006
(57)【要約】      （修正有）【課題】ハーモニカを安定して支持と保持でき、ハーモニカの演奏に制約を受けることなく迅速に確実にでき、単純な構造で価格も安いポジションマークミラーを提供する。【解決手段】ポジションマークミラーは、鏡１を保持のためのポリエステル素材２のポケット状の物と取り付けのための針金フレーム３で形成する。針金フレーム３をハーモニカホルダーの上部保持金具フレーム４に容易に取り付けることができ、非常に軽い。【選択図】図３
0003193364.tif 000002
【実用新案登録請求の範囲】
【請求項１】
鏡を保持のためのポリエステル素材のポケット状の物と取り付けのための針金フレーモで形成し、ハーモニカホルダー上部保持金具フレームを取れ付けが容易で非常に軽い事を特徴とするポジションマークミラーである。
【考案の詳細な説明】
【技術分野】
【０００１】
本考案は、ポジションマークの位置を正しく確認するためのポジションマークミラーである。
【背景技術】
【０００２】
既設のハーモニカホルダーで演奏する場合、ポジションマークが正しく確認できスムーズに演奏を行うために使用する必要がある。
【０００３】
既設のハーモニカホルダーでのポジションマーク確認は目とハーモニカの間隔が狭いためポジションマークを正しく確認する事が出来ないため演奏技法に制約を受けたる欠点があり、テンポの速い曲に対応することが困難である。
【０００４】
既設のハーモニカホルダーでのポジションマーク確認は出来ない。
【０００５】
既設のハーモニカホルダーで演奏する場合、ポジションマークを見る事が出来ないため、ハーモニカの演奏に制約を受けることなく使用できるポジションマークミラー求められる。このため解決する課題は３つである。
【考案の概要】
【考案が解決しようとする課題】
【０００６】
第一にハーモニカが安定して支持と保持できること、第二ハーモニカの演奏に制約を受けることなく迅速に確実にできること、第三に単純な構造で価格も安いものであること。
【課題を解決するための手段】
【０００７】
既設のハーモニカにはポジションマークの印があるハーモニカホルダーにハーモニカを支持と保持するとポジションマークが演奏者とハーモニカとの間隔が狭いため目に入らなくなるので演奏に制約を受ける。ハーモニカの前面に鏡を立てる事で鏡越しにポジションマークが正しく確認見る事が出来る。長さ120ｍｍ、高さ70ｍｍの鏡の支持と保持するための深さ25ｍｍ長さ160ｍｍのポケット状の物をポリエステル素材で造り、このポケットを保持するためのフレーム、太さ2ｍｍ、長さ90ｍｍの針金を5ｍｍでＵの字に内側に折り曲げて55ｍｍで150°に折り曲げて80ｍｍでＵの字に外側に折り曲げる。ハーモニカホルダーの上部保持金具フレームの角隅にポジションマークミラーを取り付ける。フレームが針金なので微妙な角度調整は可能であるよってハーモニカ演奏に最適な位置を決める事が出来る。
【考案の効果】
【０００８】
針金フレームをハーモニカホルダーの上部保持金具フレームの角隅に取り付けるのでハーモニカ演奏には邪魔にならず、演奏が可能である。
【図面の簡単な説明】
【０００９】
【図１】既設のハーモニカホルダーの斜面図
【図２】既設のハーモニカホルダーにハーモニカを取り付けた状態の斜面図
【図３】保持のためのポジションマークミラーを上部フレームに取り付けたハーモニカホルダーの斜面図
【図４】ポジションマークミラーのフレームをたたんだ状態を示す斜視図
【考案を実施するための形態】
【００１０】
本発明の実施形態を、図１、図２、図３、図４、で示す。
既設のハーモニカホルダーの上部保持金具フレームにポジションマークミラーのフレームを取り付ける事で鏡越しにポジションマークと唇が写りハーモニカ演奏が容易となる。
【実施例】
【００１１】
図１はハーモニカホルダーの斜視図である。ハーモニカホルダーは、吊り金具フレーム９とハーモニカ保持金具板６から構成され、両金具は手で締付け可能な喋ネジ８で連結されている、ハーモニカ保持金具板６の取り付け部分が、演奏者の顔の方向に向く形で形成されており、当該部分を中心に、演奏者の胸部にはハーモニカ５の重みで密着する。吊り金具フレーム９は首に掛けるので湾曲してある。図３はポケット保持のためのポジションマークミラーをフレームに取り付けたハーモニカホルダーの斜面図である。ジションマークミラーの針金フレーム３を上部保持金具フレーム４に取り付ける事で実施できる。
【符号の説明】
【００１２】
１  鏡
２  ポリエス素材
３  針金フレーム
４  上部保持金具フレーム
５  ハーモニカ
６  下部保持金具Ｌ板
７  バネ
８  喋ネジ
９  吊り金具フレーム
【図１】
0003193364.tif 000003
【図２】
0003193364.tif 000004
【図３】
0003193364.tif 000005
【図４】
0003193364.tif 000006
【手続補正書】
【提出日】平成26年7月25日(2014.7.25)
【手続補正１】
【補正対象書類名】実用新案登録請求の範囲
【補正対象項目名】全文
【補正方法】変更
【補正の内容】
【実用新案登録請求の範囲】
【請求項１】
鏡を保持のためのポリエステル素材のポケット状の物と取り付けのための針金フレームで形成し、ハーモニカホルダー上部保持金具フレームを取り付けが容易で非常に軽い事を特徴とするポジションマークミラーである。